(57)【要約】      （修正有）【課題】天井に開けられた丸穴に対して、本体と回路ケースとを結合する配線を保護しながら容易に施工することができるイオン発生装置を提供する。【解決手段】制御回路ケース１２の幅は本体１の直径値より小さくし、制御回路ケース１２の長手方向は、本体１の中心よりどちらか片方に寄せて配置し、制御回路１１と本体１に取り付けた電動機８と静電霧化手段１０をつなげる配線を備え、配線を覆う斜め形状したカバー部を備えたという構成にしたことにより、カバー部が斜めのところでカバー部が天井に開いた丸穴に接触させず、本体１を制御回路ケース１２から斜めに天井に挿入するので、天井に開けられた丸穴に対して、本体１と制御回路ケース１２とを結合する配線を保護しながら容易に施工することができるイオン発生装置を得られる。【選択図】図１
2013153935.tif 000002
【特許請求の範囲】
【請求項１】
天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流し、制御部を納める制御回路ケースは、前記天板の上方に設置するイオン発生装置において、前記制御回路ケースの幅は前記本体の直径値より小さくし、前記制御回路ケースの長手方向は、前記本体の中心よりどちらか片方に寄せて配置し、前記制御回路と前記本体に取り付けた前記電動機と前記静電霧化手段をつなげる配線を備え、前記配線を覆う斜め形状したカバー部を備えたことを特徴とするイオン発生装置。
【請求項２】
カバー部の一端に設けた凸部を制御回路ケースの上面に設けた凹に勘合させたことを特徴とする請求項１に記載のイオン発生装置。
【請求項３】
本体に設けられた配線を通すための開口部をカバー部の外郭側からも覆うことを特徴とした請求項１に記載のイオン発生装置。
【請求項４】
静電霧化手段に供給する空気を、開口部から取り入れることを特徴とした請求項３記載のイオン発生装置。
【発明の詳細な説明】
【技術分野】
【０００１】
本発明は、室内空間の除菌や脱臭を行うイオン発生装置に関するものである。
【背景技術】
【０００２】
従来、この種のイオン発生装置は、マイナスイオン発生手段によって発生したイオンを、ファンによって生じさせた空気の流れにのせて流出させたものが知られている（例えば、特許文献１参照）。
【０００３】
以下、そのイオン発生装置について図７を参照しながら説明する。
【０００４】
図７に示すように、天井に本体を埋め込み、天井面からイオンを発生させるイオン発生装置であって、本体は、円筒状の本体ケース１０１内に仕切板１０２と、この仕切板１０２の下方に送風手段としてシロッコファン１０３と、仕切板１０２を貫通した開口に静電霧化手段１０４と、本体ケース１０１の下端に本体吸込み口１０５と本体吹出し口１０６を有するグリル１０７と、本体ケース１０１の上に設けられている、制御基板の入った制御ボックス１０８で構成されている。
【０００５】
上記構成により、本体ケース１０２内に螺旋状の空気流路を設けて旋回気流を作り出し、旋回気流を本体吹出し口１０７から吹出すことが出来る。
【先行技術文献】
【特許文献】
【０００６】
【特許文献１】特開２０１１−２５３７８０号公報
【発明の概要】
【発明が解決しようとする課題】
【０００７】
このような従来のイオン発生装置においては、本体駆動および静電霧化装置駆動の回路基板を必要とするため、回路ケースが本体より大きくなり、天井施工時に施工工数が増加するとともに本体と回路ケースを結合する配線が必要となる、という課題を有していた。
【０００８】
そこで本発明は、上記従来の課題を解決するものであり、天井に開けられた丸穴に対して、本体と回路ケースとを結合する配線を保護しながら容易に施工することができるイオン発生装置を提供することを目的とする。
【課題を解決するための手段】
【０００９】
そして、この目的を達成するために、本発明は、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流し、制御部を納める制御回路ケースは、前記天板の上方に設置するイオン発生装置において、前記制御回路ケースの幅は前記本体の直径値より小さくし、前記制御回路ケースの長手方向は、前記本体の中心よりどちらか片方に寄せて配置し、前記制御回路と前記本体に取り付けた前記電動機と前記静電霧化手段をつなげる配線を備え、前記配線を覆う斜め形状したカバー部を備えたこととしたものであり、これにより所期の目的を達成するものである。
【発明の効果】
【００１０】
本発明によれば、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流し、制御部を納める制御回路ケースは、前記天板の上方に設置するイオン発生装置において、前記制御回路ケースの幅は前記本体の直径値より小さくし、前記制御回路ケースの長手方向は、前記本体の中心よりどちらか片方に寄せて配置し、前記制御回路と前記本体に取り付けた前記電動機と前記静電霧化手段をつなげる配線を備え、前記配線を覆う斜め形状したカバー部を備えたという構成にしたことにより、カバー部が斜めのところでカバー部が天井に開いた丸穴に接触させず、本体を制御部から斜めに天井に挿入することとなるので、天井に開けられた丸穴に対して、本体と回路ケースとを結合する配線を保護しながら容易に施工することができる、という効果を得ることができる。
【図面の簡単な説明】
【００１１】
【図１】本発明の実施の形態１のイオン発生装置を天井に取付けた状態の断面図
【図２】同イオン発生装置の保護カバーと回路ケースの勘合部分の拡大断面図
【図３】同イオン発生装置の本体と回路ケースを結合する配線を示した断面図
【図４】同イオン発生装置の平面図
【図５】同イオン発生装置の分解斜視図
【図６】同イオン発生装置を天井に取付ける際の取付け状態を示す断面図
【図７】従来のイオン発生装置の分解斜視図
【発明を実施するための形態】
【００１２】
本発明の請求項１記載のイオン発生装置は、天井に円筒状で下方にフランジを有した本体を埋め込み、前記本体の天面には、遠心ファンと前記遠心ファンを回転させるための電動機と前記電動機を保持する天板を設け、前記本体の下面に吸込口と吹出口を有するグリルとを備え、前記本体内部には、静電霧化手段を備え、前記静電霧化手段によって発生したイオンが、前記遠心ファンによって前記吸込口から吸込まれ、前記吹出口から排出される空気に混流し、制御部を納める制御回路ケースは、前記天板の上方に設置するイオン発生装置において、前記制御回路ケースの幅は前記本体の直径値より小さくし、前記制御回路ケースの長手方向は、前記本体の中心よりどちらか片方に寄せて配置し、前記制御回路と前記本体に取り付けた前記電動機と前記静電霧化手段をつなげる配線を備え、前記配線を覆う斜め形状したカバー部を備えた、という構成を有する。これにより、カバー部が斜めのところでカバー部が天井に開いた丸穴に接触させず、本体を制御部から斜めに天井に挿入することとなるので、天井に開けられた丸穴に対して、本体と回路ケースとを結合する配線を保護しながら容易に施工することができる、という効果を奏する。
【００１３】
また、カバー部の一端に設けた凸部を制御回路ケースの上面に設けた凹に勘合させた、という構成にしてもよい。これにより、凸部と凹部の勘合により位置がずれることなく、制御回路ケースを制御回路ケースの上面から本体に固定することとなるので、本体上面にのせた制御回路ケースの、本体への取り付け強度を上げることができる、という効果を奏する。
【００１４】
また、本体に設けられた配線を通すための開口部をカバー部の外郭側からも覆う、という構成にしてもよい。これにより、カバー部の外郭側から本体の開口部への下向き方向経路を遮断することとなるので、開口部より本体内部にある静電霧化手段に対して、下向き方向に異物が混入するのを防ぐことができる、という効果を奏する。
【００１５】
また、静電霧化手段に供給する空気を、開口部から取り入れる、という構成にしてもよい。これにより、風速の速い遠心ファンの空気経路ではなく、風速がない空間から静電霧化手段の空気を取り入れる際、静電霧化手段の空気取入口近傍の単位時間当たりの空気通過量が少なく、空気に含まれている埃の通過量をも少なくなることとなるので、静電霧化手段に埃が堆積するのを抑制することができる、という効果を奏する。
【００１６】
以下、本発明の実施の形態について図面を参照しながら説明する。
【００１７】
（実施の形態１）
図１に示すように、本体１は円筒状を有しており、下方にはフランジ２を有し、フランジ２の下方に、吸込み口３と吐出し口４を有するグリル５とを備え、本体１の天面６には、遠心送風手段であるターボファン７と、ターボファン７を回転させる電動機８を有し、電動機８を保持するための天板９を設け、天板９の下方には電動機８に接続するターボファン７を組み込んで構成されている。
【００１８】
また、図１に示すように、本体１の外郭にあたる天板９と電動機８の上方に、電動機８および静電霧化手段１０のイオンの発生をコントロールする制御回路１１を内部に納める長方形状の制御回路ケース１２を配置し、制御回路ケース１２は、円筒状である本体１の直径値（直径の長さ）よりも小さい大きさとし、また、長手方向が本体１の中心から片側に寄せて配置する構成としている。
【００１９】
また、天板９の上方に、制御回路ケース１２内に配置した制御回路１１と、本体１に取り付けた電動機８および静電霧化手段１０をつなげる配線１３を備え、天板９の上方に、配線１３を覆う、外側に向けて下方に傾斜する斜め形状をした保護カバー１４を備える構成とする。保護カバー１４は制御回路ケース１２の上方の一部に配置され、保護カバー１４と制御回路ケース１２は、図２に示すように、保護カバー１４の下方に凸形状である凸部１５と、制御回路ケース１２の上面に設置した凸部１５に対向する位置の凹部１６によって勘合された構成となっている。
【００２０】
また、保護カバー１４は、電動機８の上方と、制御回路ケース１２から配線１３が出てくる出口１７の上方を覆うように配置され、本体１に、図４に示すように、制御回路ケース１２および本体１の中心線１８上の１箇所を含めた、２箇所で固定される構成とする。
【００２１】
また、保護カバー１４は、本体１に設けられた、配線１３を通すための制御回路ケース１２に対抗する位置の開口部１９を、本体１の外郭側からも覆うカバー２０を備え、カバー２０の直径値が本体１の直径値よりも小さくなるように構成されている。
【００２２】
また、図１に示すように、本体１の内部で、筒状の経路２０の外周部に静電霧化手段１０を設け、静電カバー２１にて覆っており、筒状の経路２０にも空気流路２２にも属さない場所に静電霧化手段１０が配置されている。静電霧化手段１０が配置される空間への霧化のための空気の供給を、室内側の空気流路２２からではなく、本体１の上方に設けた開口部１９から取り入れる構成とする。
【００２３】
上記構成において、図６に示すように、本体１を天井に開けられた丸穴に挿入して施工する際、制御回路ケース１２の大きさが本体１の直径値よりも小さく、制御回路ケース１２の長手方向が片側に突き出していることから、天井の丸穴に斜めに挿入すれば、容易に制御回路ケース１２を挿入することができ、また、保護カバー１４が斜めの形状をしているため、保護カバー１４が天井に開いた丸穴に接触せず、天井に開けられた丸穴に対して、本体１と制御回路ケース１２とを結合する配線１３を保護しながら容易に施工することができる。
【００２４】
また、保護カバー１４の凸部１５（図２参照）と制御回路ケース１２の凹部１６の勘合により、制御回路ケース１２に対して、位置がずれることなく、保護カバー１４を制御回路ケース１２の上方から本体１に固定することとなるので、本体１の上面に配置した制御回路ケース１２の、本体１への取り付け強度を上げることができる。
【００２５】
また、保護カバー１４に備えたカバー部２０により、外郭側から本体１の開口部１９への下向き方向経路を遮断することとなるので、開口部１９より本体１の内部に配置した静電霧化手段１０に対して、下向き方向に天井裏からの異物が混入するのを防ぐことができる。
【００２６】
また、空気流路２２からではなく、本体１の開口部１９から空気を取り入れることで、風速の速いターボファン７の空気流路２２ではなく、風速が遅い空間から静電霧化手段１０の空気を取り入れる際、静電霧化手段１０の空気取入口近傍の単位時間当たりの空気通過量が少なく、空気に含まれている埃の通過量をも少なくなることとなるので、静電霧化手段１０に埃が堆積するのを抑制することができる。
【産業上の利用可能性】
【００２７】
本発明にかかるイオン発生装置は、天井に取り付けて広範囲にイオンを供給することができるため、イオンによってもたらすことができる効果や効能を居住空間に供給することに有用であり、また、クローゼットやバス、トイレ、または倉庫などの非居住空間においても有用である。
【符号の説明】
【００２８】
１    本体
２    フランジ
３    吸込み口
４    吐出し口
５    グリル
６    天面
７    ターボファン
８    電動機
９    天板
１０  静電霧化手段
１２  制御回路ケース
１３  配線
１４  保護カバー
１５  凸部
１６  凹部
１９  開口部
【図１】
2013153935.tif 000003
【図２】
2013153935.tif 000004
【図３】
2013153935.tif 000005
【図４】
2013153935.tif 000006
【図５】
2013153935.tif 000007
【図６】
2013153935.tif 000008
【図７】
2013153935.tif 000009